(57)【要約】【課題】体感器等の外部信号を発生する装置を用いた遊技台の不正使用を確実に検出し監視することのできる遊技台の不正使用検出装置を提供する。【解決手段】無線信号を検出する１個又は複数のセンサー及び１個及び複数のアンプ回路と、アンプ回路に接続された信号判別回路及び発振回路とを備え、信号判別回路が、センサーで検出されアンプ回路で増幅された信号中に不正装置の周波数帯域の信号を判別した場合には、発振回路から不正使用を示す信号を出力する。【選択図】図１
2007144001.tif 000002
【特許請求の範囲】
【請求項１】
無線信号を検出する１個又は複数のセンサー及び１個及び複数のアンプ回路と、前記アンプ回路に接続された信号判別回路及び発振回路とを備え、前記信号判別回路が、前記センサーで検出され前記アンプ回路で増幅された信号中に不正装置の周波数帯域の信号を判別した場合には、前記発振回路から不正使用を示す信号を出力することを特徴とする遊技台の不正使用検出装置。
【請求項２】
請求項１に記載の遊技台の不正使用検出装置において、
前記センサーは、周波数センサーの周囲に金属のシールドを配置した指向性を備えたセンサーであることを特徴とする遊技台の不正使用検出装置。
【請求項３】
請求項１または請求項２に記載の遊技台の不正使用検出装置において、
前記複数のセンサーは、遊技台の椅子の複数箇所に、それぞれ、特定の方向に指向性をもって調整可能に配置されることを特徴とする遊技台の不正使用検出装置。
【請求項４】
請求項１ないし請求項３のいずれかに記載の遊技台の不正使用検出装置において、
前記不正使用検出装置が複数の遊技台の椅子に配置され、前記複数の椅子にそれぞれ配置された信号判別回路及び発振回路が不正使用を示す信号を有線信号、無線信号、赤外線信号あるいは超音波信号として送信し、中央監視装置に設置された受信装置が前記有線信号、無線信号、赤外線信号あるいは超音波信号を受信して集中監視することを特徴とする遊技台の不正使用検出装置。
【発明の詳細な説明】
【技術分野】
【０００１】
本発明は、ぱちんこ遊技機（以下、「パチンコ」と略称する。）あるいは、回胴式遊技機（以下、「パチスロ」と略称する。）等の遊技台において、体感器等による遊技台の不正使用を検出する不正使用検出装置に関する。
【背景技術】
【０００２】
例えば、遊技台のパチスロには、一定周期ごとに「当たり」「リプレー」「外れ」が設定されており、スタート時にそれぞれが判定される判定装置が組み込まれており、「外れ」の周期にスタートしてもその後は、大当たりは出ないような設定がなされている。
【０００３】
パチスロの遊技台を不正使用する補助具としては、例えば、「体感器」が知られており、パチスロ機種毎の「当たり」の周期が設定された体感器と低周波振動装置又は高周波振動装置とがセットで使用され、例えば、当たりの周期が数秒に設定されたパチスロ機種に対して、体感器はその周期で低周波振動装置を動作させ、低周波振動装置を持った手の指先で、「当たり」の周期でスタートレバーを押すことにより、当たりの確率は大幅に増加させるといわれている。
【０００４】
このような不正遊技を防ぐための装置の従来技術として、特許文献１には、不正防止のための体感器検知装置が開示されている。図５に、特許文献１記載の体感器検知装置のブロック図を示す。特許文献１記載の体感器検知装置では、パチスロ本体の外部集中端子板からメダル投入情報等の情報を取り出し、またパチスロ本体に設置されたリプレー検出回路からリプレー検出情報を取り出して、これらの情報からリプレー発生率を計算し、リプレー発生率が一定の値を超えた場合に不正信号を出力するものである。
【０００５】
また、上記の従来例以外にも、パチスロ本体の内部機構や制御部の改善が図られているが完全に不正遊技を防止することは困難であるのが現状である。
また、遊技台毎にセンサー（アンテナ等）を設置して不正使用を防止することが試みられているが、遊技台内で発生する静電気や電子機器からのノイズにより誤動作を起こし、体感器などの外部信号を使用した遊技台の不正使用を摘出することが非常に難しい状況にある。
【特許文献１】特開２００５−４０４１２号公報
【発明の開示】
【発明が解決しようとする課題】
【０００６】
以上のように、パチスロ本体の内部機構や制御部の改善では、完全に不正遊技を防止することは困難であり、また、遊技台毎にセンサー（アンテナ等）を設置して不正使用を防止する場合には遊技台内で発生する静電気や電子機器からのノイズによる誤動作で不正使用を摘出することが非常に難しい状況にあり、また、上記の特許文献１記載の体感器検知装置ではパチスロ本体の外部集中端子板やパチスロ本体に設置されるリプレー検出回路から情報を取出してリプレー発生率を計算するという機構が複雑であり、また、特許文献１記載の技術は、リプレー発生率が高い場合に不正使用であると推測するする間接的な不正検知に過ぎず、遊技台の不正使用を確実に検出し不正を摘出することはできない。
【０００７】
本発明は、体感器等の外部信号を発生する装置を用いた遊技台の不正使用を確実に検出し監視することのできる遊技台の不正使用検出装置を提供することを目的とする。
【課題を解決するための手段】
【０００８】
本発明の遊技台の不正使用検出装置は、無線信号を検出する１個又は複数のセンサー及び１個及び複数のアンプ回路と、前記アンプ回路に接続された信号判別回路及び発振回路とを備え、前記信号判別回路が、前記センサーで検出され前記アンプ回路で増幅された信号中に不正装置の周波数帯域の信号を判別した場合には、前記発振回路から不正使用を示す信号を出力することを特徴とする。
【発明の効果】
【０００９】
本発明によれば、外部信号を発生する体感器等の不正装置を使用する人の近くにセンサーを設置し、他からの影響を受けずに確実に不正装置の場所を特定し不正装置を使用する人を特定することができる。
【発明を実施するための最良の形態】
【００１０】
以下、図面を用いて、本発明の実施の形態について説明する。
【実施例１】
【００１１】
図１に、本発明の実施例１の不正使用検出装置の回路構成図を示す。図１に記載された不正使用検出装置は、複数のセンサー１、複数のアンプ装置２、信号判別回路３、発振回路４を備えている。複数のセンサー１は、体感器等の外部信号を発生する不正装置からの微弱な電波を検出する。複数のセンサー１のそれぞれに設けられた複数のアンプ装置２は、センサー１で検出され変換された微弱な電気信号を増幅する。各アンプ装置２で増幅された電気信号は信号判別回路３に入力される。信号判別回路３は、受信された電波信号内に体感器等の不正装置が発生した微弱な外部信号の有無を判別する。信号判別回路３が、不正装置の外部信号に固有の特定周波数の信号を判別した場合には、発振回路４は不正使用を示す信号を出力する。発振回路４から出力された信号は、有線信号、無線信号、赤外線信号あるいは超音波信号として送信され、遠隔の受信装置により受信することができる。
【００１２】
図２に、本発明の実施例１の不正使用検出装置のセンサーの斜視図を示す。遊技台本体や種々の電子機器から発生するノイズ環境下で、不正装置からの微弱な信号を判別するためには、他のノイズを遮断する指向性を備えた高感度なセンサーを使用することが必要である。図２に記載されたセンサー１は、高感度の周波数センサー１１の周囲に、金属材料のシールドを配置しており、金属材料のシールドの開口部以外からの電磁波ノイズを遮断することにより指向性を備えている。高感度の周波数センサー１１は、例えば、ニッケル−マンガンの円柱状磁性材料の周囲にコイルを配置した構造のセンサー、あるいは、ナノ結晶軟磁性材料「ファインメット（登録商標）」の矩形の薄膜を積層し周囲にコイルを配置した構造のセンサーを用いることにより、低周波帯域から高周波帯域までの広範囲な周波数の電波信号を検出することが可能である。
センサー１の下部にはアンプ回路２が一体に、または、別体に設けられており、高周波センサー１１で検出された微弱な信号はアンプ回路２で増幅されリード線１３を介して外部に出力することができる。なお、図２では、アンプ回路２がセンサー１に一体に組み込まれる例が記載されているが、アンプ回路２をセンサー１と別体に構成することが可能である。
【００１３】
図３は、本発明の実施例１の不正使用検出装置の配置を示す説明図である。体感器等の不正装置の微弱な外部信号を検出するためには、不正使用検出装置は、使用される不正装置の近傍に配置することが必要である。不正装置である体感器の使用者は、体感器を、例えば、洋服の胸のポケット、ズボンのポケットなどに隠して使用する。図３において、本発明の実施例１の不正使用検出装置のセンサー１とアンプ装置２は、遊技台の椅子の３箇所、例えば、椅子の背もたれの両脇及び座部に設けられている。また、信号判別回路３と発振回路４は、椅子の座部内に設けられる。センサー１は指向性を備えているので、椅子の背もたれの両脇に設けられた各センサー１は、例えば、洋服の胸のポケットの方向を向くように調整可能であり、椅子の座部内に設けられたセンサー１はズボンのポケットの方向を向くように調整可能である。センサー１とアンプ回路２とを設置する箇所数は３箇所に限定されず、更に多くの複数個所に設置することも可能であり、センサーの感度が非常に良ければ、場合によっては１箇所のみに設置することも可能である。
【００１４】
図３において、各センサー１と各アンプ回路２からの信号は、それぞれ、信号判別回路３に入力され、各センサーで検出した信号内での体感器からの外部信号の有無が判別される。更に、各センサーからの外部信号の強度を測定することにより、各センサーの設置場所からの外部信号の強度により、体感器を隠し持っている場所をより正確に特定することができる。体感器等を所持して遊技台を不正使用する不正使用者を特定するだけでなく、不正使用者が不正装置をどこに隠しているかも明らかにすることができる。
【００１５】
信号判別回路３により不正使用が判別された場合には、発振回路４は不正使用を示す信号を出力する。発振回路４が出力した不正使用を示す信号は、リード線やケーブルにより有線で警報装置に転送しても良いが無線信号として送信することが望ましい。この無線送信周波数は、センサー１の誤動作を起こさない周波数を選択する。複数の椅子に設置された発振回路４からの信号を識別できるようにし、複数の椅子からの不正使用を示す無線信号を中央監視装置に設置された受信装置により受信して集中監視することにより、どの遊技台の椅子に座っている人が不正使用を行っているか、どこに不正装置を隠し持っているかを容易に監視することが可能である。
【００１６】
図４は、本発明の実施例１のセンサー１が検出する無線信号の周波数／信号強度分布を示す概略図である。図４の（ａ）は、不正使用を行っていない通常の場合にセンサー１が検出する周波数ノイズ分布を示している。なお、図４（ａ）に示した周波数ノイズの周波数と信号強度特性は、利用する遊技台の種類によっても異なり、また検出するセンサー１の種類と機能によっても異なり、あくまでも模式的に示したものである。
図４の（ｂ）は、体感器等の不正装置を使用した場合にセンサー１が感知する周波数ノイズ分布を示している。図４（ｂ）では、図４（ａ）に示す通常のノイズに加えて、矢印で示すように特定の周波数領域、例えば、帯域Ａと帯域Ｂに微弱なノイズ信号が発生する。なお、図４（ｂ）に示した特定の周波数領域に微弱なノイズ信号は、不正使用に用いられる不正装置によって特定の周波数領域も異なり、また、また検出するセンサー１の種類と機能によっても異なり、あくまでも模式的に示したものであり、遊技台の種類と不正装置の種類・使用状況等によっては、遊技台の発生するノイズと比較して、不正装置を使用した場合のノイズが特定の周波数を中心に強く現れる場合もある。
【００１７】
本発明の実施例１の信号判別回路３では、センサー１が検出しアンプ回路で増幅した周波数ノイズ信号を帯域フィルタで分離し、特定の周波数帯域内での信号の有無を判別することにより、不正使用の特定の周波数を判別することができる。遊戯台の通常使用時の周波数ノイズの発生しない周波数帯域で、不正装置の使用時に周波数ノイズの発生する周波数帯域が予め判明している場合には、センサー１が検出しアンプ回路で増幅した周波数ノイズ信号から、帯域フィルタを使って、その特定の周波数帯域（例えば、帯域Ａ又は帯域Ｂ）の信号を取り出し、その特定の周波数帯域に有意な信号がある場合に不正使用を判別することができる。
【００１８】
図５は、本発明の実施例１のセンサーが検出する無線信号の周波数／信号強度パターンを示す概略図である。センサー１が検出する無線信号の周波数／信号強度分布は、利用する遊技台の種類によっても異なり、また検出するセンサー１の種類と機能によっても異なる。不正使用に用いられる不正装置によって特定の周波数領域も異なり、また、また検出するセンサー１の種類と機能によっても異なる。特定の種類の不正装置が検出されると、また、次の不正装置が作成される。図５の（ａ）は、遊戯台の通常使用時の周波数帯域ごとの信号強度分布である周波数の信号強度パターンを示している。図５の（ｃ）は、不正装置使用時の周波数の信号強度パターンを示している。
【００１９】
センサー１が検出しアンプ回路で増幅した周波数ノイズ信号から、複数の異なる周波数帯域フィルタを使って、周波数帯域ごとの信号強度を計測し、その周波数パターンを記憶装置に記録しておく。ある不正装置が使用された場合に特定の周波数領域に特有の周波数ノイズが発生すると、そのときの周波数パターンは通常の遊戯台と相違するので、信号判別回路３では、周波数帯域ごとの信号強度パターンを、記憶装置に記録された通常使用時の周波数帯域ごとの信号強度パターンと比較し、異なる信号強度パターンを示したときに不正使用と判別することもできる。また、このように摘出された、異なる種類の不正装置に対して異なる周波数帯域ごとの信号強度パターンを、記憶装置に格納しておいて、これらの信号強度パターンと比較することにより、どのような不正装置が使用されたかについても確定することが可能である。
【００２０】
上記の実施例１の不正使用検出装置１００の構成例及び信号判別回路等の構成例について説明したが、不正使用検出装置１００及び信号判別回路３等の具体的な構成は、利用される遊技台の種類、あるいは使用が想定される不正装置等に応じて変更して設計することができ、その際に増幅回路、帯域フィルタ、記憶装置、パターン比較回路等のいずれも既存の周知技術を用いて設計可能である。
【図面の簡単な説明】
【００２１】
【図１】図１は、本発明の実施例１の不正使用検出装置の回路構成図である。
【図２】図２は、本発明の実施例１の不正使用検出装置のセンサーの構成を示す斜視図である。
【図３】図３は、本発明の実施例１の不正使用検出装置の配置を示す説明図である。
【図４】図４は、本発明の実施例１のセンサーが検出する無線信号の周波数／信号強度分布を示す概略図である。
【図５】図５は、本発明の実施例１のセンサーが検出する無線信号の周波数／信号強度パターンを示す概略図である。
【図６】図６は、従来例である体感器検知装置のブロック図である。
【符号の説明】
【００２２】
１    センサー
２    アンプ装置
３    信号判別回路
４    発信回路
５    受信装置
１１    周波数センサー
１２    シールド（金属）
１３    リード線
１４    遊技台の椅子
【図１】
2007144001.tif 000003
【図２】
2007144001.tif 000004
【図３】
2007144001.tif 000005
【図４】
2007144001.tif 000006
【図５】
2007144001.tif 000007
【図６】
2007144001.tif 000008